(57)【要約】【課題】上段側の商品陳列棚に弱冷用の商品を陳列して下段側の商品陳列棚に冷蔵用の商品を陳列する第１使用形態のとき、又は、全ての商品陳列棚に弱冷用の商品又は冷蔵用の商品を陳列する第２使用形態のときに、運転状態の異常が発生していることの検出を部品点数や配線作業数を少なくした簡単な構造により行う。【解決手段】切替スイッチ１５ａにより第1使用形態が指示されているときに可動体１６が可動したことを検出スイッチ１８が検出しない場合、又は、切替スイッチ１５ａにより第2使用形態が指示されているときに可動体１６が可動したことを検出スイッチ１８が検出した場合には、２温度式ショーケース１の運転状態が異常であると判断部１９で判断される。その判断は、可動体１６と検出スイッチ１８とをそれぞれ一つずつ設けることにより行え、部品点数が少なく配線作業も簡単な構造となる。【選択図】図２
2020078486.tif 000002
【特許請求の範囲】
【請求項１】
ショーケース本体内に上下複数段の商品陳列棚が設けられ、上段側の前記商品陳列棚に弱冷用の商品を陳列して下段側の前記商品陳列棚に冷蔵用の商品を陳列する第１使用形態と、全ての前記商品陳列棚に弱冷用の商品又は冷蔵用の商品を陳列する第２使用形態とに切替可能な２温度式ショーケースにおいて、
前記ショーケース本体の奥側に上下方向に設けられ、下方から上方へ冷気が流れる冷気通路と、
前記商品陳列棚に形成された挿着部と、
前記挿着部に着脱可能に挿着され、挿着されることにより前記冷気通路内を流れる冷気がその挿着位置より上方に流れることを遮断する中間仕切体と、
前記ショーケース本体内に設けられ、前記挿着部に装着された前記中間仕切体により押されて可動する上下方向に長い長尺状の可動体と、
前記可動体が可動したことを検出する検出スイッチと、
前記２温度式ショーケースの使用形態を第１使用形態とするか第２使用形態とするかを指示する切替スイッチと、
前記切替スイッチにより第1使用形態が指示されているときに前記可動体が可動したことを前記検出スイッチが検出しない場合、又は、前記切替スイッチにより第2使用形態が指示されているときに前記可動体が可動したことを前記検出スイッチが検出した場合に前記２温度式ショーケースの運転状態が異常であると判断する判断部と、
を備えることを特徴とする２温度式ショーケース。
【請求項２】
前記判断部の判断結果を報知する報知部を有することを特徴とする請求項1記載の２温度式ショーケース。
【請求項３】
前記中間仕切体に、この中間仕切体が前記挿着部に挿着された場合に前記冷気通路に連通してこの冷気通路内を流れる冷気を前記ショーケース本体の正面側に導く中間通路が形成されていることを特徴とする請求項１又は２記載の２温度式ショーケース。
【発明の詳細な説明】
【技術分野】
【０００１】
本発明は、ショーケース本体の上段側に弱冷用の商品を陳列するとともに下段側に冷蔵用の商品を陳列することができる２温度式ショーケースに関する。
【背景技術】
【０００２】
従来、スーパーマーケットやコンビニエンスストア等の店舗では冷蔵機能を備えたショーケースが使用されており、このようなショーケースの中には、下記特許文献１に記載されたように、ショーケース本体内の上段側の商品陳列棚に弱冷用の商品（例えば、弁当やおにぎり）を陳列し、ショーケース本体内の下段側の商品陳列棚に冷蔵用の商品（例えば、サラダパック）を陳列するようにした２温度式ショーケースが知られている。なお、この２温度式ショーケースでは、必要に応じて全ての商品陳列棚に弱冷用の商品又は冷蔵用の商品を陳列する場合もある。
【０００３】
下記特許文献１の２温度式ショーケースでは、上段側の商品陳列棚に弱冷用の商品を陳列し、下段側の商品陳列棚に冷蔵用の商品を陳列する場合には、弱冷用の商品を陳列する商品陳列棚のうち最下段の商品陳列棚に中間仕切体（中間棚ダクト）を挿着している。中間仕切体を挿着することにより、冷気通路内を下方から上方へ流れる冷気が中間仕切体の挿着位置より上方に流れないようになり、冷気は中間仕切体内に形成された通路を通ってショーケース本体の正面側に吹出す。
【先行技術文献】
【特許文献】
【０００４】
【特許文献１】特開２００７−１８７３９１号公報
【発明の概要】
【発明が解決しようとする課題】
【０００５】
しかしながら、特許文献１に記載された２温度式ショーケースでは、中間仕切体が商品陳列棚に挿着されているか否かを機械的に検出することはできず、店舗の従業員の視認に頼っている。このため、中間仕切体を商品陳列棚に挿着すべきことを忘れる場合や、中間仕切体を商品陳列棚から取外すべきところを挿着したままにする場合がある。
【０００６】
商品陳列棚に中間仕切体が挿着されているか否かをセンサを用いて検出することは可能であるが、その場合には、各商品陳列棚ごと、又はダンパーごとにセンサを設けることになり、センサやセンサ取付部材等の部品点数が増加し、さらに、センサが複数になることで各センサごとの配線作業が煩雑になる。
【０００７】
本発明は、このような課題を解決するためになされたものであり、その目的は、上段側の商品陳列棚に弱冷用の商品を陳列して下段側の商品陳列棚に冷蔵用の商品を陳列する第１使用形態のときに挿着部に中間仕切体が挿着されていないという運転状態の異常が発生していること、又は、全ての商品陳列棚に弱冷用の商品又は冷蔵用の商品を陳列する第２使用形態のときに挿着部に中間仕切体が挿着されているという運転状態の異常が発生していることを、部品点数や配線作業数を少なくした簡単な構造により検出することができる２温度式ショーケースを提供することである。
【課題を解決するための手段】
【０００８】
本発明は、ショーケース本体内に上下複数段の商品陳列棚が設けられ、上段側の前記商品陳列棚に弱冷用の商品を陳列して下段側の前記商品陳列棚に冷蔵用の商品を陳列する第１使用形態と、全ての前記商品陳列棚に弱冷用の商品又は冷蔵用の商品を陳列する第２使用形態とに切替可能な２温度式ショーケースにおいて、前記ショーケース本体の奥側に上下方向に設けられ、下方から上方へ冷気が流れる冷気通路と、前記商品陳列棚に形成された挿着部と、前記挿着部に着脱可能に挿着され、挿着されることにより前記冷気通路内を流れる冷気がその挿着位置より上方に流れることを遮断する中間仕切体と、前記ショーケース本体内に設けられ、前記挿着部に装着された前記中間仕切体により押されて可動する上下方向に長い長尺状の可動体と、前記可動体が可動したことを検出する検出スイッチと、前記２温度式ショーケースの使用形態を第１使用形態とするか第２使用形態とするかを指示する切替スイッチと、前記切替スイッチにより第1使用形態が指示されているときに前記可動体が可動したことを前記検出スイッチが検出しない場合、又は、前記切替スイッチにより第2使用形態が指示されているときに前記可動体が可動したことを前記検出スイッチが検出した場合に、前記２温度式ショーケースの運転状態が異常であると判断する判断部と、を備える。
【０００９】
また、前記判断部の判断結果を報知する報知部を有することが望ましい。
【００１０】
また、前記中間仕切体に、この中間仕切体が前記挿着部に挿着された場合に前記冷気通路に連通してこの冷気通路内を流れる冷気を前記ショーケース本体の正面側に導く中間通路が形成されていることが望ましい。
【発明の効果】
【００１１】
本発明に係る２温度式ショーケースでは、上段側の商品陳列棚に弱冷用の商品を陳列して下段側の商品陳列棚に冷蔵用の商品を陳列する第１使用形態で使用する場合には、商品陳列棚の挿着部に中間仕切体が挿着されており、中間仕切体が挿着部に挿着されることにより、挿着された中間仕切体によって可動体が押されて可動し、可動体が可動したことが検出スイッチにより検出される。また、２温度式ショーケースを第１使用形態で使用するか第２使用形態で使用するかは、切替スイッチの切替により指示される。そして、切替スイッチにより第１使用形態が指示されているときに可動体が可動したことを検出スイッチが検出しない場合には、中間仕切体の挿着を忘れているか又は切替スイッチの指示が誤っていることを意味し、判断部により２温度式ショーケースの運転状態が異常であると判断される。一方、切替スイッチにより第２使用形態が指示されているときに可動体が可動したことを検出スイッチが検出した場合には、中間仕切体が誤って挿着されているか又は切替スイッチの指示が誤っていることを意味し、判断部により２温度式ショーケースの運転状態が異常であると判断される。ここで、可動体は上下方向に長い長尺状に形成されている一つの部材であり、中間仕切体がどの商品陳列棚の挿着部に挿着された場合でも可動体が可動し、可動体が可動したことは検出スイッチにより検出される。従って、中間仕切体がいずれかの挿着部に挿着されているか否かを検出するための可動体と検出スイッチとをともに一つずつ設ければよく、２温度式ショーケースの運転状態が異常であることを検出するための部品点数が少なくなるとともに検出スイッチの配線作業も簡単になる。
【００１２】
また、判断部の判断結果が報知部から報知されることにより、２温度式ショーケースの運転状態が異常であることを店舗の従業員に速やかに知らせることができる。
【００１３】
また、商品陳列棚の挿着部に中間仕切体を挿着した場合に、冷気通路内を流れる冷気が
中間仕切体の中間通路を通ってショーケース本体の正面側に導かれるため、中間仕切体を装着した商品陳列棚より上方への冷気の入り込みが抑えられ、中間仕切体を装着した商品陳列棚より上方位置は弱冷用の商品を陳列するのに好適な環境となる。
【図面の簡単な説明】
【００１４】
【図１】商品陳列棚の挿着部に中間仕切体が挿着されておらず、第２使用形態で使用される場合の２温度式ショーケースを示す断面側面図である。
【図２】商品陳列棚の挿着部に中間仕切体が挿着されており、第１使用形態で使用される場合の２温度式ショーケースを示す断面側面図である。
【図３】挿着部に中間仕切体が挿着されていない場合の可動体と検出スイッチとを示す断面平面図である。
【図４】挿着部に中間仕切体が挿着されている場合の可動体と検出スイッチとを示す断面平面図である。
【図５】中間仕切体に押されない可動体が突出位置に回動している状態を示す斜視図である。
【図６】中間仕切体に押された可動体が没入位置に回動している状態を示す斜視図である。
【図７】挿着部に挿着された中間仕切体と可動体と検出スイッチとを示す断面側面図である。
【発明を実施するための形態】
【００１５】
本発明の一実施形態について、図面に基づいて説明する。図１、図２はスーパーマーケットやコンビニエンスストア等の店舗内に設置される２温度式ショーケース１を示す断面側面図である。この２温度式ショーケース１は、前面に開口２が形成された断面形状コの字型のショーケース本体３を有し、ショーケース本体３内の奥側には、冷却器４の周囲を通過することにより冷却された冷気が黒矢印で示すように下方から上方へ流れる冷気通路５と、冷却器４の周囲を通過しないために冷却されていない非冷気が白矢印で示すように下方から上方へ流れる非冷気通路６とが形成されている。
【００１６】
冷気通路５と非冷気通路６とはその上端側で合流しており、その先端部には冷気や非冷気が開口２を覆うように下向きに吹出す吹出口７が形成されている。ショーケース本体３の開口２の下側には、吹出口７から吹出した冷気や非冷気が吸い込まれる吸込口８が形成されている。吸込口８から吸い込まれた冷気や非冷気は、冷気通路５又は非冷気通路６に流入するようになっている。
【００１７】
ショーケース本体３内には、上下方向に沿って複数段の商品陳列棚９ａ〜９ｈが設けられている。商品陳列棚９ａ〜９ｈのうち、上方側に位置する３つの商品陳列棚９ｂ、９ｃ、９ｄには挿着部１０が形成され、最下位の商品陳列棚９ｈには収容部１１が形成されている。
【００１８】
挿着部１０は、中間仕切体１２が挿着される部分であり、挿着部１０に挿着された中間仕切体１２は、図２又は図７に示すように、冷気通路５の手前側の壁面であって商品陳列棚９ｂ〜９ｄの後側の部分に形成された開口（図示せず）を挿通して冷気通路５内に侵入し、中間仕切体１２の先端部が冷気通路５の背面板５ａに当接される。そして、中間仕切体１２の先端部が冷気通路５の背面板５ａに当接することにより冷気通路５が中間仕切体１２により遮断され、冷気通路５内の冷気は中間仕切体１２の挿着位置より上方へは流れなくなる。
【００１９】
冷気通路５の手前側の壁面には、中間仕切体１２が挿通される開口を開閉するダンパー１３ｂ、１３ｃ、１３ｄが上下方向回動可能に取付けられている。そして、挿着部１０に中間仕切体１２が挿着された場合には、ダンパー１３ｂ〜１３ｄは中間仕切体１２により押されて図２又は図７に示すように上方位置に回動する。一方、挿着部１０に中間仕切体１２が挿着されていない場合には、ダンパー１３ｂ〜１３ｄは下向きに回動し、開口を閉止している。
【００２０】
中間仕切体１２の内部には、中間通路１４が形成されている。この中間通路１４は、中間仕切体１２を挿着部１０に挿着することにより中間仕切体１２の先端部が冷気通路５内に挿入された場合に冷気通路５に連通され、図２又は図７において黒矢印で示すように、冷気通路５内を流れる冷気を開口２側に導くようになっている。
【００２１】
商品陳列棚９ｈに形成された収容部１１は、中間仕切体１２を収容可能な部分であるつる。中間仕切体１２を挿着部１０に装着しない場合には、その中間仕切体１２を収容部１１に収容しておくことができる。
【００２２】
ここで、この２温度式ショーケース１は、上段側の商品陳列棚９に弱冷用の商品を陳列して下段側の商品陳列棚９に冷蔵用の商品を陳列する第１使用形態と、全ての商品陳列棚９に弱冷用の商品又は冷蔵用の商品を陳列する第２使用形態とに切替可能に設けられている。そして、第１使用形態と第２使用形態との切替指示は、ショーケース本体３の上部に設置されている制御装置１５に設けられている切替スイッチ１５ａを切替えることにより行われている。
【００２３】
冷気通路５内の背面側であって挿着部１０を有する商品陳列棚９ｂ、９ｃ、９ｄに対向する範囲には、上下方向に長い長尺状の可動体１６が設けられている。この可動体１６は、図３、図５に示すように冷気通路５の背面板５ａから冷気通路５内に突出した突出位置と、図４、図６に示すように冷気通路５の背面板５ａと面一となって冷気通路５内から退避した没入位置とに回動可能に設けられている。挿着部１０に中間仕切体１２が挿着され、可動体１６が中間仕切体１２により押されることにより可動体１６は冷気通路５内から退避する没入位置に回動する。一方、挿着部１０に中間仕切体１２が挿着されていない場合には、可動体１６はバネ１７の付勢力により突出位置に回動している。
【００２４】
さらに、可動体１６の回動範囲内に、可動体１６が突出位置に位置する場合にはオフになり、可動体１６が没入位置に回動した場合に可動体１６に押されてオンになる検出スイッチ１８が設けられている。
【００２５】
ショーケース本体３の上部に設置されている制御装置１５には、切替スイッチ１５ａの切替状態と中間仕切体１２の挿着状態とから、２温度式ショーケース１の運転状態が異常であることを判断する判断部１９が設けられている。具体的には、切替スイッチ１５ａにより第1使用形態が指示されているときに中間仕切体１２が挿着部１０に挿着されていないために可動体１６が突出位置に位置して検出スイッチ１８がオフとなっている場合、又は、切替スイッチ１５ａにより第2使用形態が指示されているときに中間仕切体１２が挿着部１０に挿着されているために可動体１６が没入位置に位置して検出スイッチ１８がオンとなっている場合には、２温度式ショーケース１の運転状態が異常であると判断される。
【００２６】
さらに、制御装置１５には、判断部１９において運転状態が異常であると判断した場合に、その判断結果を報知するための報知部であるアラーム部２０が設けられている。
【００２７】
このような構成において、図１は、２温度式ショーケース１を、全ての商品陳列棚９に弱冷用の商品又は冷蔵用の商品を陳列する第２使用形態で使用している場合を示している。この第２使用形態では、挿着部１０に中間仕切体１２は挿着されず、中間仕切体１２は最下位の商品陳列棚９ｈの収容部１１に収容されている。そして、挿着部１０に中間仕切体１２が挿着されていないため、全てのダンパー１３が下方位置に回動しており、冷気は黒矢印で示すように冷気通路５内を最上方位置まで流れ、非冷気は白矢印で示すように非冷気通路６内を最上方位置まで流れ、合流して吹出口７から下向きに吹出し、開口２を覆う冷気のエアカーテンが形成されている。
【００２８】
この第２使用形態では、可動体１６は挿着部１０に挿着された中間仕切体１２に押されることはなく、図３又は図５に示すように突出位置に位置しており、検出スイッチ１８は可動体１６に押されることなくオフ状態とされている。そして、切替スイッチ１５ａにより第２使用形態が指示されているときに検出スイッチ１８がオフであることにより、判断部１９において２温度式ショーケース１の運転状態は正常であると判断され、アラーム部２０からは警報は発報されない。
【００２９】
一方、この第２使用形態のときに、誤っていずれかの挿着部１０に中間仕切体１２が挿着されていると、中間仕切体１２に押されたダンパー１３が上方位置に回動するとともに冷気通路５内に浸入した中間仕切体１２の先端部により冷気通路５内の冷気の流れが遮断される。さらに、先端部が冷気通路５内に挿入した中間仕切体１２により可動体１６が押され、可動体１６が図４、図６に示すような没入位置に回動し、可動体１６に押された検出スイッチ１８がオンになる。そして、切替スイッチ１５ａにより第２使用形態が指示されているときに検知スイッチ１８がオンになることにより、判断部１９において２温度式ショーケース１の運転状態が異常であると判断され、アラーム部２０から警報が発報される。この警報が発報されることにより、２温度式ショーケース１の運転状態が異常であることを店舗の従業員に速やかに知らせることができる。
【００３０】
図２は、２温度式ショーケース１を、上段側の商品陳列棚９に弱冷用の商品を陳列して下段側の商品陳列棚９に冷蔵用の商品を陳列する第１使用形態で使用している場合を示している。商品陳列棚９ｃの挿着部１０に中間仕切体１２が挿着されている。
【００３１】
商品陳列棚９ｃの挿着部１０に中間仕切体１２が挿着されることにより、中間仕切体１２に押されたダンパー１３ｃが上方位置に回動し、中間仕切体１２の先端部が冷気通路５内に挿入されて冷却通路５の背面板５ａに当接し、冷気通路５内を流れる冷気の流れが遮断される。そして、冷気通路５内を流れる冷気は中間仕切体１２の中間通路１４を通って開口２側へ導かれる。これにより、上方側の商品陳列棚９ａ、９ｂ、９ｃに陳列された商品に対しては冷気の影響が抑制され、上段側の商品陳列棚９ａ〜９ｃに弱冷用の商品を陳列して下段側の商品陳列棚９ｄ〜９ｈに冷蔵用の商品を陳列するということが可能となる。
【００３２】
また、この第１使用形態では、挿着部１０に装着された中間仕切体１２により可動体１６が押されて没入位置に回動し、図４に示すように検出スイッチ１８がオンになる。そして、切替スイッチ１５ａにより第１使用形態が指示されているときに検出スイッチ１８がオンであることにより、判断部１９において２温度式ショーケース１の運転状態が正常であると判断され、アラーム部２０からは警報は発報されない。
【００３３】
一方、この第１使用形態のときに、誤って挿着部１０への中間仕切体１２の挿着を忘れていると、冷気通路５内を流れる冷気の流れが遮断されず、可動体１６が中間仕切体１２に押されずに検出スイッチ１８がオフになる。そして、切替スイッチ１５ａにより第１使用形態が指示されているときに検出スイッチ１８がオフであると、判断部１９において２温度式ショーケース１の運転状態が異常であると判断され、アラーム部２０から警報が発報される。
【００３４】
ここで、この２温度式ショーケース１では、中間仕切体１２が挿着される挿着部１０が設けられている範囲内の上下方向に長い長尺状の一つの可動体１６と、可動体１６の回動を検出する一つの検出スイッチ１８とを有している。このため、中間仕切体１２が挿着される挿着部１０が複数あっても、それらの挿着部１０に対応する複数の検出スイッチを設ける必要がなく、中間仕切体１２が挿着されているか否かを検出するための部材として一つの可動体１６と一つの検出スイッチ１８とを設ければよい。従って、この２温度式ショーケース１では、２温度式ショーケース１の運転状態が異常であることを検出するための部品点数が少なくなるとともに、検出スイッチ１８の配線作業が簡単になる。
【００３５】
また、この２温度式ショーケース１では、第２使用形態の運転時には中間仕切体１２を最下段の商品陳列棚９ｈに形成された収容部１１に収容しておく構造であるので、第２使用形態時に中間仕切体１２を紛失するという事態の発生を防止することができる。
【００３６】
尚、本実施の形態では、第１使用形態が指示されているときに中間仕切体１２が挿着部１０に挿着されていないと警報が発報され、及び、第２使用形態が指示されているときに中間仕切体１２が挿着部１０に挿着されると警報が発報されるように制御される場合について説明している。しかし一方、このような制御に代えて、挿着部１０に中間仕切体１２が挿着された場合には運転状態を第１使用形態に切替え、挿着部１０に中間仕切体１２が挿着されない場合には運転状態を第２使用状態に切替えるように制御してもよい。
【符号の説明】
【００３７】
１      ２温度式ショーケース
２      開口
３      ショーケース本体
４      冷却器
５      冷気通路
５ａ    背面板
６      非冷気通路
７      吹出口
８      吸込口
９ａ〜９ｈ    商品陳列棚
１０      挿着部
１１      収容部
１２      中間仕切体
１３ｂ〜１３ｄ  ダンパー
１４      中間通路
１５      制御装置
１５ａ    切替スイッチ
１６      可動体
１７      バネ
１８      検出スイッチ
１９      判断部
２０      アラーム部
【図１】
2020078486.tif 000003
【図２】
2020078486.tif 000004
【図３】
2020078486.tif 000005
【図４】
2020078486.tif 000006
【図５】
2020078486.tif 000007
【図６】
2020078486.tif 000008
【図７】
2020078486.tif 000009